(57)【要約】      （修正有）【課題】底部ケーシングと、少なくとも一つの側面貼り付けシートと、一つの上部ケーシングとを含む立体図案を備える容器を提供する。【解決手段】底部ケーシング１１に複数の折り目が設けられ、折り目は少なくとも２つの平面間に取り付け、かつ底部ケーシングは凹部１１１を有する。側面貼り付けシート１２は底部ケーシングの側壁に設けられ、かつ側面貼り付けシートには少なくとも一つの穴１２１が設けられ、側面貼り付けシートには折り目に対応して複数の側面折り目１２０が設けられる。上部ケーシング１３は底部ケーシングの上方に設けられ、収容空間を形成し、上部ケーシングはライニング層１３１と表面層１３２とを含む。ライニング層には複数本のライニング折り目が設けられ、表面層はライニング層の外部に貼り付けられ、かつ表面層の表面には少なくとも一つの表面の穴が設けられ、ライニング折り目に対応した複数本の上部ケーシングの折り目が設けられる。【選択図】図１
0003185183.tif 000002
【実用新案登録請求の範囲】
【請求項１】
立体図案を備える容器であって、
複数本の折り目が設けられ、前記折り目は少なくとも２つの平面間に設けられ、かつ第１凹部を有し、前記凹部の内面または外面に第１カラー貼り付け面が設けられた第１底部ケーシングと、
前記第１底部ケーシングの側壁に貼り付けられ、かつ文字または図案を表示するための少なくとも一つの第１穴が設けられ、前記折り目に対応して、複数本の側面折り目が設けられ、一端に接続部が設けられ、他端に前記接続部に対応した組合せ部が設けられた少なくとも一つの第１側面貼り付けシートと、
複数本のライニング折り目が設けられたライニング層と、
前記ライニング層の外部に設けられ、文字または図案を表示するための少なくとも一つの表面の第１穴と、前記ライニング折り目に対応して複数本の上部ケーシングの折り目とを有する表面層を有し、前記底部ケーシングの上方に被せられて、収容空間を形成する上部ケーシングと、を備える。
【請求項２】
前記側面貼り付けシートまたは前記ライニング層の表面に第２カラー貼り付け面が設けられることを特徴とする、請求項１記載の立体図案を備える容器。
【請求項３】
前記第１底部ケーシングの上端部は前記第１側面貼り付けシートの上端より高い位置にあり、前記第１側面貼り付けシートの下端は前記第１底部ケーシングの外部に突出する、請求項１記載の立体図案を備える容器。
【請求項４】
重ね合わせボックスをさらに含み、前記重ね合わせボックスは、前記第１底部ケーシングの下方に設けられ、前記重ね合わせボックスには前記第１底部ケーシングと前記第１側面貼り付けシートの大きさに対応して、同じ大きさの開口部を有する第２凹部が設けられていることを特徴とする、請求項３記載の立体図案を備える容器。
【請求項５】
前記重ね合わせボックスは、
前記第２凹部を有する第２底部ケーシングと、
前記第２底部ケーシングの側壁に貼り付けられ、かつ少なくとも一つの第２穴が設けられ、前記第１底部ケーシングの下方に重ね合わせられる少なくとも一つの第２側面貼り付けシートと、を有することを特徴とする、請求項４記載の立体図案を備える容器。
【考案の詳細な説明】
【技術分野】
【０００１】
本考案は容器に関し、特に立体図案を備える容器に関する。
【背景技術】
【０００２】
業者が容器を使用して商品を入れるとき、商品を入れた容器の外観には通常、ロゴ、商品を説明するための文字または図案と文字など、製品に関する説明が印字され、使用者が製品情報を確認できる。このようなやり方は、使用者に製品情報の提供ができるほか、使用者が外観設計によって、商品に対する商品の印象を深められ、製品のマーケティング目的を達成できるという点でも重要である。
【０００３】
一般的に、製品容器に商品説明を付す方法は、主に以下のようなやり方がある。
【０００４】
イ、顔料または塗料を容器に塗装する。
【０００５】
ロ、同じ図案を有したステッカーまたは図案フィルムを貼り付ける。
【考案の概要】
【考案が解決しようとする課題】
【０００６】
しかしながら、顔料または塗料のほとんどが化学材料のため、容器の外部だけに塗装したにもかかわらず、使用者の使用安全を確保できず、環境保護の面で多く心配されている。一方、容器に図案を備えるステッカーまたは接着剤は、容器の外部に貼り付けられているが、接着剤が気候、湿度または温度の変化により変質を引き起こすため、ステッカーが確実に容器の外部に貼り付けられることを確保することが難しい。このほか、顔料または塗料のスプレー、あるいはステッカーもしくは図案フィルムを貼り付けるやり方は、すべて新たに容器の外部に加工の必要があり、作業は極めて面倒である。
【０００７】
よって、需要者の観点から、立体図案を備える容器を設計して、環境保護の効果を有し、かつ環境温度または湿度の変化による顔料、塗料、ステッカーまたは図案フィルムの塗料剥がれやステッカーの剥離を防止でき、かつ加工時間を短縮できる立体図案を備える容器を提供することは、もはや市場において、一刻も猶予を許されない課題となっている。
【０００８】
前述した公知技術の問題について、立体図案を備える容器を提供して、公知技術の問題解決を図ることが本考案の目的である。
【課題を解決するための手段】
【０００９】
本考案の目的に基づき、第１底部ケーシングと、第１側面貼り付けシートと、上部ケーシングと、を含む立体図案を備える容器を提供する。そのうち、第１底部ケーシングには複数の折り目が設けられ、折り目は少なくとも２つの平面間に取り付けられ、かつ第１底部ケーシングは第１凹部を有する。第１側面貼り付けシートは第１底部ケーシングの側壁に設けられ、かつ第１側面貼り付けシートには少なくとも一つの穴が設けられ、第１側面貼り付けシートには折り目に対応して複数の側面折り目が設けられている。上部ケーシングは第１底部ケーシングの上方に被せられて、収容空間を形成する。上部ケーシングはライニング層と、表面層とを含み、ライニング層には複数本のライニング折り目が設けられ、表面層はライニング層の外部に貼り付けられ、かつ表面層の表面には少なくとも一つの穴が設けられ、ライニング折り目に対応して複数本の上部ケーシングの折り目が設けられている。
【００１０】
そのうち、第１底部ケーシングの内面または外面には例えば、第１カラー貼り付け面が設けられ、側面貼り付けシートまたはライニング層の表面には第２カラー貼り付け面が設ける。
【００１１】
そのうち、側面貼り付けシートの穴は文字または図案である。
【００１２】
そのうち、表面層の穴は文字または図案である。
【００１３】
そのうち、第１側面貼り付けシートの一端には接続部が設けられ、他端には接続部に対応した組合せ部が設けられる。
【００１４】
そのうち、第１側面貼り付けシートの上端は第１底部ケーシングの上端部より低い位置に設けられ、かつ第１側面貼り付けシートの下端は第１底部ケーシングの外部に突出して設けられる。
【００１５】
好ましくは、立体図案を備える容器は重ね合わせボックスをさらに含み、重ね合わせボックスは第１底部ケーシングの下方に設けられる。
【００１６】
そのうち、重ね合わせボックスには、第１底部ケーシングと第１側面貼り付けシートの大きさに対応して、同じ大きさの開口部を有する第２凹部が設けられる。
【００１７】
そのうち、重ね合わせボックスは、第２凹部を有する第２底部ケーシングと、第２底部ケーシングの側壁に貼り付けられ、かつ少なくとも第２穴が設けられ、第１底部ケーシングの下方に重ね合わされる第２貼り付けシートと、を有する。
【００１８】
前述とおり、本考案の立体図案を備える容器は公知の塗料を容器の外部に貼り付けるやり方に取り代わることができ、環境保護に適合しコスト軽減の効果を有するほか、公知技術による容器の外部への貼り付けに代わって、接着剤が気温または長期間保管により、その粘性を失われる問題を防止し、かつ長期間保管しても破損することがないほか、様々なカラー貼り付け面を形成することができる。
【考案の効果】
【００１９】
以下に説明するとおり、本考案の立体図案を備える容器は以下に示す複数の長所を有することがわかる。
【００２０】
イ、本本考案の立体図案を備える容器は公知技術による塗料を容器外部にスプレー塗装する方法に取り代わることができ、環境保護に適合し、かつコスト軽減の効果がある。
【００２１】
ロ、本考案の立体図案を備える容器は公知技術によるステッカーを容器外部に貼り付ける方法に取り代わることができ、接着剤が気温または長期間保管により、その粘性が失われる問題を防止でき、本考案によれば、長期間保存しても破損することはない。
【００２２】
ハ、本考案の立体図案を備える容器の底部ケーシングと側面貼り付けシートにはそれぞれ異なるカラーの貼り付け面が設けられているため、様々な視覚効果を提供することができる。
【図面の簡単な説明】
【００２３】
【図１】本考案の立体図案を備える容器の好ましい実施例による分解図である。
【図２】本考案の立体図案を備える容器の好ましい実施例による態様図である。
【図３】本考案の立体図案を備える容器もう一つの好ましい実施例による態様図である（その１）。
【図４】本考案の立体図案を備える容器もう一つの好ましい実施例による分解図である。
【図５】本考案の立体図案を備える容器もう一つの好ましい実施例による態様図である（その２）。
【考案を実施するための形態】
【００２４】
以下は関連図面に基づいて、本考案の立体図案を備える容器の実施例を説明する。理解しやすくするため、以下の実施例において、同じ要素には同じ符号を割りあてる。
【実施例】
【００２５】
図１と図２、すなわち本考案の立体図案を備える容器の好ましい実施例による分解図と態様図とを合わせて参照する。本考案の立体図案を備える容器１は底部ケーシング１１と、側面貼り付けシート１２と、上部ケーシング１３とを有する。底部ケーシング１１は凹部１１１を有し、側面貼り付けシート１２は底部ケーシング１１の側壁に貼り付けられ、かつ側面貼り付けシート１２には少なくとも一つの穴１２１が設けられ、上部ケーシング１３が底部ケーシング１１の上方に被せられて、収容空間を形成する。そのうち、上部ケーシング１３はライニング層１３１と表面層１３２とを含み、表面層１３２は例えば、ライニング層１３１の外部に貼り付けられ、かつ表面層１３２の表面には少なくとも一つの表面穴１３２１が設けられる。
【００２６】
図１に示すとおり、底部ケーシング１１には複数本の折り目１１０が設けられ、折り目１１０は少なくとも２つの平面間に設けられ、側面貼り付けシート１２には折り目１１０に対応して、複数本の側面折り目１２０が設けられている。上部ケーシング１３のライニング層１３１には複数本のライニング折り目１３１０が設けられ、上部ケーシング１３の表面層１３２にはライニング折り目１３１０に対応して複数本の上部ケーシングの折り目１３２０が設けられている。前述複数種の折り目によって、底部ケーシング１１と、側面貼り付けシート１２と、上部ケーシング１３とを多角柱のケーシング体に仕上げることができる。図１と図２には矩形ケーシングが例示されているが、本考案を実施する場合には、実際の需要に応じて、五角柱のケーシング体、六角柱のケーシング体、七角柱のケーシング体、八角柱のケーシング体または九角柱のケーシング体など多角柱のケーシング体を設けることができる。ただし、この限りでない。
【００２７】
このほか、側面貼り付けシート１２の穴１２１と表面層１３２に備えられた表面の穴１３２１はそれぞれ立体図案として設けることができる。図２に示すように、側面貼り付けシート１２の穴１２１は花模様の図案として形成されているのに対して、表面層１３２に備えられた表面の穴１３２１は花模様の図案として形成されても良い。よって、様々なパターンの図案を穴１２１または表面の穴１３２１に設けることにより、商標表示として、使用者に認識させることができる。
【００２８】
特に注意したい点は、図１と図２において、立体図案を備える容器１には２つの第１側面貼り付けシート１２が設けられ、２つの第１側面貼り付けシート１２の一端には接続部１２２が設けられ、他端には接続部１２２に対応して、組合せ部１２３が設けられている点である。これにより、そのうち一つの第１側面貼り付けシート１２が接続部１２２を介して、もう一つの第１側面貼り付けシート１２の接続部１２３につなぎ合わせることで、底部ケーシング１１の側壁に繞設することができる。
【００２９】
なお、第１底部ケーシング１１の内面または外面には第１カラー貼り付け面１１２が設けられるのに対して、第１側面貼り付けシート１２の表面には第２カラー貼り付け面１２４が設けられるか、またはライニング層１３１の表面にも第２カラー貼り付け面１３１１を設けられるのに対して、第１カラー貼り付け面１１２と第２カラー貼り付け面１２４、１３１１がそれぞれ異なるカラーの貼り付け面として設けられるか、または同じカラーのカラー貼り付け面として設けられる。
【００３０】
続いて、図３、すなわち本考案の立体図案を備える容器のもう一つの好ましい実施例による態様図を参照する。同図に示すとおり、本実施例において、立体図案を備える容器２には側面貼り付けシート２１が設けられ、側面貼り付けシート２１の一端には接続部２１１が設けられ、他端には組合せ部２１２が設けられる。接続部２１１を組合せ部２１２に接続することによって、側面貼り付けシート２１を内部ケーシングの側壁に繞設することができる。
【００３１】
特に注意したい点は、上部ケーシング２２表面の穴２２１は図案として設計されている点であり、本実施例においては、花模様の図案が表面の穴２２１として例示されている。側面貼り付けシート２１には、２つの穴２１３が設けられている。そのうち一つの穴２１３は文字パターンの穴２１３であり、もう一つの穴２１３は図案パターンの穴である。図示の側面貼り付けシート２１の一側には例えば、「ＣＥＦ」のように文字図案の穴２１３が設けられ、もう一側の穴２１３には例えば、花模様の図案が設けられる。これにより、立体図案を備える容器２は視認機能を有し、かつ公知技術において容器の外部に印刷図案または図案を有するステッカーなどを貼り付ける方法に取り代わることができるほか、より環境保護に適合し、かつコストを軽減できる。
【００３２】
図４と図５、すなわち本考案の立体図案を備える容器の好ましい実施例による分解図と態様図とを合わせて参照する。両図に示すとおり、本考案の立体図案を備える容器３は第１底部ケーシング３１と、第１側面貼り付けシート３２と、上部ケーシング３３と、重ね合わせボックス３４とを有する。図に示すとおり、第１底部ケーシング３１は第１凹部３１１を有し、第１側面貼り付けシート３２は例えば、第１底部ケーシング３１の側壁に設けられ、上部ケーシング３３は第１底部ケーシング３１の上方に被せられて、収容空間を形成する。特に注意したい点は、第１底部ケーシング３１の上端部は第１側面貼り付けシート３２の上端より高い位置に設けられていて、かつ第１側面貼り付けシート３２の下端は第１底部ケーシング３１底部の外面に突出して設けられている点である。重ね合わせボックス３４には、第１底部ケーシング３１と第１側面貼り付けシート３２の大きさに対応して、同じ大きさを有する第２凹部３４１１が設けられる。
【００３３】
重ね合わせボックス３４の構造を詳しく説明する。図４に示すとおり、重ね合わせボックス３４は第２底部ケーシング３４１と、少なくとも一つの第２側面貼り付けシート３４２とを含み、第２底部ケーシング３４１は第２凹部３４１１を有する。典型的には、第２凹部３４１１は第１底部ケーシング３１の第１凹部３１１と同じ大きさに形成されるが、この限りでない。第２側面貼り付けシート３４２は第２底部ケーシング３４１の側壁に貼り付けられ、第２側面貼り付けシート３４２には少なくとも一つの第２穴３４２１が設けられている。さらに、第１底部ケーシング３１の下端部は第２側面貼り合わせシート３４２の上端に設けられ、第２側面貼り付けシート３４２の下端は第２底部ケーシング３４１の外部に突出するように貼り付けられることによって、第１底部ケーシング３１の下方に重ね合わせることができる。本実施例において、２つの第２側面貼り付けシート３４２が設けられる例が示されているが、その数はこの限りでない。
【００３４】
続いて、図５に示すとおり、上部ケーシング３３と第１側面貼り付けシート３２にはいずれも花模様の図案が設けられているが、重ね合わせボックス３４の第２側面貼り付けシート３４２の第２穴３４２１は、上部ケーシング３３表面の第１穴３３２１および第１側面貼り付けシート３２の第１穴３２１と異なり、図示のように「ＣＥＦ」という文字の穴として設けられている。ただし、第２穴３４２１の態様はこの限りでない。よって、表面の穴３３２１と、穴３２１と、第２穴３４２１とを設けることによって、複数種の図案の立体図案を設けることができる。
【００３５】
なお、本考案の立体図案を備える容器３には複数の重ね合わせボックス３４が設けられてもよい。本考案の技術特徴の詳しい説明を図るため、図において、一つの重ね合わせボックス３４のみが例示されているが、この限りでない。
【符号の説明】
【００３６】
１、２、３        立体図案を備える容器
１１、３１        （第１）底部ケーシング
１１０、３１０    折り目
１１１、３１１    （第１）凹部
１１２、３１２    第１カラー貼り付け面
１２、２１、３２  （第１）側面貼り付けシート
１２０、３２０    側面折り目
１２１、２１３、３２１      （第１）穴
１２２、２１１、３２２、３４２２      接続部
１２３、２１２、３２３、３４２３      組合せ部
１２４、１３１１、３２４      第２カラー貼り付け面
１３、２２、３３    上部ケーシング
１３１、３３１      ライニング層
１３１０、３２１０  ライニング折り目
１３２、３３２      表面層
１３２０、３３２０  上部ケーシングの折り目
１３２１、２２１、３３２１      表面の穴
３４      重ね合わせボックス
３４１    第２底部ケーシング
３４１１  第２凹部
３４２    第２側面貼り付けシート
３４２１  第２穴
【図１】
0003185183.tif 000003
【図２】
0003185183.tif 000004
【図３】
0003185183.tif 000005
【図４】
0003185183.tif 000006
【図５】
0003185183.tif 000007